(57)【要約】【課題】  ペダルにより蓋板を開閉するプラスチック製のごみ箱の操作感や質感を向上させる。【解決手段】  ごみ箱本体１の開口に枢支部をもってフラップ状に開閉する蓋板１０を設けたプラスチック製のごみ箱において、蓋板の前端にブロック状の木材からなる手掛け部材１３を接合する。【選択図】  図１
0003218850.tif 000002
【実用新案登録請求の範囲】
【請求項１】
ごみ箱本体の開口に枢支部をもってフラップ状に開閉する蓋板を設けたプラスチック製のごみ箱において、蓋板の前端にブロック状の木材からなる手掛け部材を接合したことを特徴とするごみ箱。
【請求項２】
蓋板の前端に凹設した溝部に、ブロック状の木材からなる手掛け部材を接合するとともに、上記の手掛け部材の前端を蓋板の前端より突出させた請求項１記載のごみ箱。
【考案の詳細な説明】
【技術分野】
【０００１】
本願考案は、蓋板が開閉するプラスチック製のごみ箱の改良創作に関する。
【背景技術】
【０００２】
ごみ箱本体の開口に枢支部をもってフラップ状に開閉する蓋板を設けるとともに、ごみ箱下方に設けた回動杆の上下動により昇降する昇降部材の当接により上記蓋板を押し上げるごみ箱が普及している（特許文献１）。
【０００３】
この種のごみ箱はプラスチックにより成型加工されるものであり、蓋板もプラスチックにより構成していた。
【先行技術文献】
【特許文献】
【０００４】
【特許文献１】特開２００２−１６７００１
【考案の開示】
【考案が解決しようとする課題】
【０００５】
この種のごみ箱の素材としては前記の通りプラスチックが主流である。これは成型および組み立ての容易さと、材料コストが低く済むこと、軽量であるなどの理由に基づく。
【０００６】
しかしながら、その一方で、プラスチックは質感においてごみ箱が置かれる部屋のインテリアとの調和が難しい問題もあった。                                  
【０００７】
また、筐体でなく平面状の蓋板はプラスチックにより構成されることから撓みやすく、開閉に際しての操作感に重厚さがなく、安手の印象を与えてしまう問題もあった。
【０００８】
一方、ごみ箱下方に設けた回動杆の上下動により昇降する昇降部材の当接により蓋板を押し上げるごみ箱においては、踏み込みを解除した場合は蓋板はその自重により下降して閉止するが、元来軽量であるというプラスチックの特徴から蓋板自体が軽く上記の閉止が確実でないという問題もあった。
【０００９】
一方、静電気が発生しやすいプラスチックの特徴から、使用者が頻繁に触れる蓋板の前端部分に埃やごみが付着しやすく、その箇所が汚れて見苦しいという問題もあった。
【課題を解決するための手段】
【００１０】
本願考案は以上の従来技術の問題点を解消したごみ箱を提供することを目的として創作されたものであり、ごみ箱本体の開口に枢支部をもってフラップ状に開閉する蓋板を設けたプラスチック製のごみ箱において、蓋板の前端にブロック状の木材からなる手掛け部材を接合したことを特徴とする。
【００１１】
また、請求項２に係るごみ箱は蓋板の前端に凹設した溝部に、ブロック状の木材からなる手掛け部材を接合するとともに、上記の手掛け部材の前端を蓋板の前端より突出させたことを特徴とする。
【考案の効果】
【００１２】
本願考案のごみ箱によれば、蓋板の前端にブロック状の木材からなる手掛け部材を接合するので、プラスチックにより構成されることから撓みやすかった蓋板に剛性を与え、使用者において直接蓋板の端を持って開閉する際にプラスチックでは出せない重厚な操作感を得ることができる。
【００１３】
一方、蓋板の前端が重くなるので、ベダルにより開放した後に自重により蓋板が閉止する作用がより確実となる。
【００１４】
また、使用者が直接触れる可動部分である蓋板の前端を木材とすることにより、静電気が発生しにくく、埃やごみの付着を防止することができる。
【００１５】
一方、木材の使用はワンポイント的ではあるが、ごみ箱の使用に際し、使用者が直接触れる頻度が高い蓋板の前端に位置するので見４者の注意を惹き、質感において置かれる部屋のインテリアと調和するごみ箱とすることができる。
【００１６】
さらに、前記したように木材の使用はワンポイント的であっても高い効果を奏するので、プラスチックに比し材料費が高い木材の使用量は最小限で済み、低コストでプラスチックだけでは得られない効果を奏するごみ箱を得ることができる。
【図面の簡単な説明】
【００１７】
【図１】本願考案のごみ箱の斜視図。
【図２】同上、手掛け部材を外した状態の斜視図。
【図３】同上、一部切り欠き側面図。
【図４】同上、可動部分の作用を示す可動部分の側面図。
【図５】同上、可動部分の作用を示す可動部分の側面図。
【図６】本願考案のごみ箱の異なる実施例の斜視図。
【図７】本願考案のごみ箱の異なる実施例の斜視図。
【考案を実施するための最良の形態】
【００１８】
以下、本願考案のごみ箱の具体的実施例を添付図面に基づいて説明する。図中符号１はごみ箱の本体であり、プラスチックにより上方をごみ投入口として開口した断面矩形の容器状に構成される。上記のごみ箱本体１の上方の開口にはプラスチック製の蓋板１０が回動自在に設けられる。蓋板１０はごみ箱本体１の上方端に位置する枢支部１１をもってフラップ状に開閉するように設けられるものであり、使用者において直接蓋板の端を持って開閉できる他、ペダル操作によっても開閉できる下記の機構が設けられる。
【００１９】
すなわち、本体１の後方の上下方向にはプラスチック製の昇降杆７が昇降自在に配され、本体の下方に設けた枢支部５を支点として上下にシーソー状に回動するプラスチック製の回動杆２の後端に前記の昇降杆７の下端が枢支部６をもって連結されると共に、昇降杆の上端が蓋板１０裏面の枢支部１１近傍に設けた当接部１２に当接するように配される（図３、図４、図５参照）。前記の回動杆１５の前端は足踏み操作可能なペダル基部３としてごみ箱本体１の下方前方より突出されるものであり、踏み込みによるその下降時に上昇する昇降杆７により蓋板１０が押し開けられることとなる（図５参照）。また、踏み込みを解除した場合は蓋板１０はその自重により下降して閉止する（図４参照）。
【００２０】
前記のプラスチック製の蓋板１０にはブロック状の木材が接合される。すなわち、蓋板１０の前端１４に凹設した溝部に、硬質で質量が大きな木材を蓋板の全幅に渡る幅を有するブロック状に切り出した手掛け部材１３を嵌め込み、蓋板１０の裏側から貫挿される図示しない木ねじにより接合している。上記の手掛け部材１３は前端を蓋板１０の前端１４より突出させることにより、使用者において直接蓋板の端を持って開閉する際に木製の手掛け部材に指が触れるようにしている。
【００２１】
また、この実施例においては、前記のペダル基部３はごみ箱本体１の全幅に渡る幅を有し、上面にブロック状の木材からなるペダル部材４が接合される。上記ペダル部材４はここでは硬質で質量が大きな木材をペダル基部３の上面を覆う大きさのブロック状に切り出したもので、ペダル部材４の前後に突設された枠縁間に嵌め込まれるとともに、ペダル部材の裏側から貫挿される図示しない木ねじによりペダル部材上に接合される。
【００２２】
この場合は、使用者が直接触れる可動部分である回動杆の一端にブロック状の木材からなるペダル部材を接合するので、質量の大きな木材によりペダルの踏み込みに際しプラスチックでは出せない重厚な操作感を得ることができる。
【００２３】
また、使用者が直接触れる可動部分であるペダル部材を木材とすることにより、静電気が発生しにくく、埃やごみの付着を防止することができる。
【００２４】
一方、木材の使用はワンポイント的ではあるが、ごみ箱の使用に際し、使用者が直接触れる頻度が高い回動杆の一端のペダル部分に位置するので、見る者の注意を惹き、前記の蓋板の前端の木材と相まって質感において置かれる部屋のインテリアと調和するごみ箱とすることができる。
【００２５】
また、この実施例においてはごみ箱を走行可能とするための車輪５も木材により構成している。この場合、硬質で質量が大きな木材により車輪を構成するので、プラスチック製の車輪では味わえない滑らかな走行感を得ることができる。
【００２６】
また、床との接触箇所である車輪を木材とすることにより、静電気が発生しにくく、埃やごみの付着を防止することができる。
【００２７】
一方、木材の使用はワンポイント的ではあるが、ごみ箱において目立つ箇所にある車輪にさ使用しているので、前記の蓋板の前端やペダル部材と相まって見る者の注意を惹き、質感において置かれる部屋のインテリアと調和するごみ箱とすることができる。
【００２８】
図６は本願考案のごみ箱の異なる実施例を示す図である。ここでは先の実施例においてごみ箱本体１を断面矩形の容器状に構成していたのに対し、断面楕円形の容器状に構成し、さらに車輪も使用しないものであり、その余の構成は先の実施例と共通する。
【００２９】
図７は本願考案のごみ箱の異なる実施例を示す図である。ここでは先の実施例においてごみ箱本体の開口に枢支部をもってフラップ状に開閉する蓋板を設けるとともに、ごみ箱下方に設けた回動杆の上下動により昇降する昇降部材の当接により上記蓋板を押し上げる構成としていたのに対し、このような機構は設けず、使用者において直接蓋板の端を持って開閉するものであり、さらに車輪も使用しないものであり、その余の構成は先の実施例と共通する。
【符号の説明】
【００３０】
１        ごみ箱本体
２        回動杆
３        ペダル基部
１０        蓋体
１３        手掛け部材
【図１】
0003218850.tif 000003
【図２】
0003218850.tif 000004
【図３】
0003218850.tif 000005
【図４】
0003218850.tif 000006
【図５】
0003218850.tif 000007
【図６】
0003218850.tif 000008
【図７】
0003218850.tif 000009